(57)【要約】【課題】排出部に積載された記録媒体を直接冷却することができ、且つ、安全性や記録媒体のスタック性も維持可能な画像形成装置を提供する。【解決手段】画像形成装置は、記録媒体を加熱及び加圧してトナー像の定着処理を行う定着部と、定着部によって定着処理された記録媒体を積載する記録媒体積載部と、記録媒体積載部の直下に配置される被冷却ユニットと、被冷却ユニットと記録媒体積載部との間に空気流を送出する冷却ファンと、記録媒体積載部に回動可能に支持される回動部と、回動部の回動端を上方向に付勢する付勢部材と、を備える。記録媒体積載部に所定枚数以上の記録媒体が積載されたとき、回動部が付勢部材の付勢力に抗して下方向に回動することにより、記録媒体積載部と回動部との間に開口が形成され、冷却ファンにより送出された空気流が開口を通過して記録媒体積載部に積載された記録媒体に接触する。【選択図】図６
2014215456.tif 000002
【特許請求の範囲】
【請求項１】
記録媒体を加熱及び加圧して記録媒体上に形成されたトナー像の定着処理を行う定着部と、
該定着部によって定着処理された記録媒体を積載する記録媒体積載部と、
該記録媒体積載部の直下に配置される被冷却ユニットと、
該被冷却ユニットと前記記録媒体積載部との間に空気流を送出する冷却ファンと、
を備えた画像形成装置において、
前記記録媒体積載部に回動可能に支持される回動部と、該回動部の回動端を上方向に付勢する付勢部材と、が設けられており、
前記記録媒体積載部に所定枚数以上の記録媒体が積載されたとき、前記回動部が前記付勢部材の付勢力に抗して下方向に回動することにより、前記記録媒体積載部と前記回動部との間に開口が形成され、前記冷却ファンにより送出された空気流が前記開口を通過して前記記録媒体積載部に積載された記録媒体に接触することを特徴とする画像形成装置。
【請求項２】
前記開口は、前記記録媒体積載部に積載される最小サイズの用紙の先端よりも排出方向上流側に形成されることを特徴とする請求項１に記載の画像形成装置。
【請求項３】
前記開口は、前記記録媒体積載部に積載された記録媒体の積載量に応じて開口量が変化することを特徴とする請求項１又は請求項２に記載の画像形成装置。
【請求項４】
前記回動部は、前記記録媒体積載部に所定枚数以上の記録媒体が積載されたとき、回動可能範囲の下限位置まで回動することを特徴とする請求項１乃至請求項３のいずれかに記載の画像形成装置。
【請求項５】
前記回動部は、平板状の本体部と、該本体部の両端縁に沿って上向きに突出するリブとを有し、前記リブが記録媒体の排出方向と平行になるように前記記録媒体積載部に回動可能に支持されることを特徴とする請求項１乃至請求項４のいずれかに記載の画像形成装置。
【請求項６】
前記リブは、前記回動部が下限位置まで回動したとき前記記録媒体積載部から突出していることを特徴とする請求項５に記載の画像形成装置。
【請求項７】
前記被冷却ユニットは、トナーを貯留するトナー貯留部であることを特徴とする請求項１乃至請求項６のいずれかに記載の画像形成装置。
【発明の詳細な説明】
【技術分野】
【０００１】
本発明は、画像形成装置に関し、特に画像形成部の記録媒体積載部に積載された記録媒体の冷却に関するものである。
【背景技術】
【０００２】
従来、像担持体上に形成された静電潜像にトナーを付着させて可視画像（トナー像）とし、用紙上に転写した後、定着部において加熱、加圧して用紙上に定着する電子写真方式の画像形成装置が知られている。このような画像形成装置においては、現像装置にトナーを補給する着脱式のトナーコンテナを用いることにより、メンテナンス性を向上させる方法が実用化されている。
【０００３】
ところで、トナーコンテナが画像形成装置の内部上方に搭載されている場合、画像形成装置本体上面の排出部（記録媒体積載部）とトナーコンテナとの距離が近くなる。その結果、定着部で加熱された用紙の熱が記録媒体積載部を介してトナーコンテナに伝導し、トナーコンテナが昇温するため、トナーコンテナ内部に貯留されたトナーを劣化させるという問題点があった。
【０００４】
トナーコンテナの昇温を抑制する方法としては、冷却ファンを用いて排出部とトナーコンテナとの間に空気流を送出してトナーコンテナを冷却する方法が一般的である。また、特許文献１には、熱定着部を収納し、記録済の用紙を排出する排出部と、排出部で排出する記録済の用紙をスタックする排紙積載部と、熱定着部と排紙積載部とを仕切る立ち壁とを有し、熱定着部で熱せられた空気を立ち壁に形成された通気穴を介して外部に排出するようにした画像形成装置が開示されている。
【先行技術文献】
【特許文献】
【０００５】
【特許文献１】特開２０００−３０８３号公報
【発明の概要】
【発明が解決しようとする課題】
【０００６】
しかしながら、排出部とトナーコンテナとの間に空気流を流す方法や、特許文献１のように定着部で熱せられた空気を外部に排出する方法は、いずれもトナーコンテナの昇温において熱源となる定着後の用紙を直接冷却するものではないため、トナーコンテナの昇温を十分に抑制することは困難であった。また、トナーコンテナ周辺に空気流を流す方法では、例えば省電力モード（スリープモード）に入り冷却ファンが停止したとき、トナーコンテナの温度が急激に上昇し、トナーを劣化させるおそれがあった。
【０００７】
一方、記録媒体積載部に積載された用紙を空気流により直接冷却しようとすると、積載された用紙の位置が空気流によってずれてしまい、用紙のスタック性が低下したり、用紙が排出部から脱落したりするという問題点があった。また、画像形成装置内部に配置された冷却ファンの空気流を用紙に導くための通気孔を用紙積載面に形成する必要があるが、通気孔に操作者の指が入ると怪我などのおそれがあり、通気孔から異物が進入すると画像形成装置の故障の原因となるおそれがあった。
【０００８】
本発明は、上記問題点に鑑み、排出部に積載された記録媒体を直接冷却することができ、且つ、安全性や記録媒体のスタック性も維持可能な画像形成装置を提供することを目的とする。
【課題を解決するための手段】
【０００９】
上記目的を達成するために本発明は、定着部と、記録媒体積載部と、被冷却ユニットと、冷却ファンと、回動部と、付勢部材と、を備えた画像形成装置である。定着部は、記録媒体を加熱及び加圧して記録媒体上に形成されたトナー像の定着処理を行う。記録媒体積載部は、定着部によって定着処理された記録媒体を積載する。被冷却ユニットは、記録媒体積載部の直下に配置される。冷却ファンは、被冷却ユニットと記録媒体積載部との間に空気流を送出する。回動部は、記録媒体積載部に回動可能に支持される。付勢部材は、回動部の回動端を上方向に付勢する。そして、記録媒体積載部に所定枚数以上の記録媒体が積載されたとき、回動部が付勢部材の付勢力に抗して下方向に回動することにより、記録媒体積載部と回動部との間に開口が形成され、冷却ファンにより送出された空気流が開口を通過して記録媒体積載部に積載された記録媒体に接触する。
【発明の効果】
【００１０】
本発明の第１の構成によれば、冷却ファンから送出される空気流が開口を通過して記録媒体に接触する。従って、記録媒体積載部に積載される記録媒体を冷却ファンにより直接冷却することができる。また、記録媒体積載部に積載される記録媒体が所定枚数に満たないときは回動部が回動せず、開口が形成されないため、記録媒体積載部と回動部との隙間に手や指を挟んだり、開口から画像形成装置内部へ異物が進入したりする不具合を防止することができる。
【図面の簡単な説明】
【００１１】
【図１】本発明の一実施形態に係る画像形成装置１００の内部構成を示す側面断面図
【図２】画像形成装置１００に取り付けられる上面カバー２３を上方から見た斜視図
【図３】画像形成装置１００に取り付けられる上面カバー２３を下方から見た斜視図
【図４】上面カバー２３に取り付けられる回動部３０の外観斜視図
【図５】用紙積載部１７に転写紙Ｐが積載されていないとき、或いは積載される転写紙Ｐの枚数が少ないときの、冷却ファン２７からの空気流の流通経路を示す側面断面図
【図６】用紙積載部１７に一定以上の転写紙Ｐが積載されたときの、冷却ファン２７からの空気流の流通経路を示す側面断面図
【発明を実施するための形態】
【００１２】
以下、図面を参照しながら本発明の実施形態について説明する。図１は、本発明の一実施形態に係る画像形成装置１００の概略断面図であり、ここではタンデム方式のカラー複合機について示している。画像形成装置１００本体には４つの画像形成部Ｐａ、Ｐｂ、Ｐｃ及びＰｄが、搬送方向上流側（図１では左側）から順に配設されている。これらの画像形成部Ｐａ〜Ｐｄは、異なる４色（シアン、マゼンタ、イエロー及びブラック）の画像に対応して設けられており、それぞれ帯電、露光、現像及び転写の各工程によりシアン、マゼンタ、イエロー及びブラックの画像を順次形成する。
【００１３】
これらの画像形成部Ｐａ〜Ｐｄには、各色の可視像（トナー像）を担持する感光体ドラム１ａ、１ｂ、１ｃ及び１ｄが配設されており、さらに駆動手段（図示せず）により図１において反時計回り方向に回転する中間転写ベルト８が各画像形成部Ｐａ〜Ｐｄに隣接して設けられている。これらの感光体ドラム１ａ〜１ｄ上に形成されたトナー像が、各感光体ドラム１ａ〜１ｄに当接しながら移動する中間転写ベルト８上に順次一次転写されて重畳された後、二次転写ローラー９の作用によって記録媒体の一例としての転写紙Ｐ上に二次転写され、さらに、定着部１３において転写紙Ｐ上に定着された後、装置本体より排出される。感光体ドラム１ａ〜１ｄを図１において時計回り方向に回転させながら、各感光体ドラム１ａ〜１ｄに対する画像形成プロセスが実行される。
【００１４】
トナー像が転写される転写紙Ｐは、画像形成装置１００本体下部の用紙カセット１６内に収容されており、給紙ローラー１２ａ及びレジストローラー対１２ｂを介して二次転写ローラー９と後述する中間転写ベルト８の駆動ローラー１１とのニップ部へと搬送される。中間転写ベルト８には誘電体樹脂製のシートが用いられ、継ぎ目を有しない（シームレス）ベルトが主に用いられる。また、二次転写ローラー９の下流側には中間転写ベルト８表面に残存するトナー等を除去するためのブレード状のベルトクリーナー１９が配置されている。
【００１５】
画像読取部２０は、複写時に原稿を照明するスキャナーランプや原稿からの反射光の光路を変更するミラーが搭載された走査光学系、原稿からの反射光を集光して結像する集光レンズ、及び結像された画像光を電気信号に変換するＣＣＤセンサー等（いずれも図示せず）から構成されており、原稿画像を読み取って画像データに変換する。
【００１６】
次に、画像形成部Ｐａ〜Ｐｄについて説明する。回転可能に配設された感光体ドラム１ａ〜１ｄの周囲及び下方には、感光体ドラム１ａ〜１ｄを帯電させる帯電器２ａ、２ｂ、２ｃ及び２ｄと、各感光体ドラム１ａ〜１ｄに画像情報を露光する露光装置（ＬＳＵ）５と、感光体ドラム１ａ〜１ｄ上にトナー像を形成する現像装置３ａ、３ｂ、３ｃ及び３ｄと、感光体ドラム１ａ〜１ｄ上に残留した現像剤（トナー）等を除去するクリーニング部７ａ、７ｂ、７ｃ及び７ｄが設けられている。
【００１７】
画像読取部２０から画像データが入力されると、先ず、帯電器２ａ〜２ｄによって感光体ドラム１ａ〜１ｄの表面を一様に帯電させ、次いで露光装置５によって画像データに応じて光照射し、各感光体ドラム１ａ〜１ｄ上に画像データに応じた静電潜像を形成する。現像装置３ａ〜３ｄには、それぞれシアン、マゼンタ、イエロー及びブラックの各色のトナーを含む二成分現像剤が所定量充填されている。なお、後述のトナー像の形成によって各現像装置３ａ〜３ｄ内に充填された二成分現像剤中のトナーの割合が規定値を下回った場合にはトナーコンテナ４ａ〜４ｄから各現像装置３ａ〜３ｄにトナーが補給される。この現像剤中のトナーは、現像装置３ａ〜３ｄにより感光体ドラム１ａ〜１ｄ上に供給され、静電的に付着することにより、露光装置５からの露光により形成された静電潜像に応じたトナー像が形成される。
【００１８】
そして、一次転写ローラー６ａ〜６ｄに所定の転写電圧を付与することにより、感光体ドラム１ａ〜１ｄ上のイエロー、シアン、マゼンタ及びブラックのトナー像が中間転写ベルト８上に一次転写される。これらの４色の画像は、所定のフルカラー画像形成のために予め定められた所定の位置関係をもって形成される。その後、引き続き行われる新たな静電潜像の形成に備え、感光体ドラム１ａ〜１ｄの表面に残留したトナー等がクリーニング部７ａ〜７ｄにより除去される。
【００１９】
中間転写ベルト８は、上流側の搬送ローラー１０と、下流側の駆動ローラー１１とに掛け渡されており、駆動モーター（図示せず）による駆動ローラー１１の回転に伴い中間転写ベルト８が反時計回りに回転を開始すると、転写紙Ｐがレジストローラー対１２ｂから所定のタイミングで駆動ローラー１１とこれに隣接して設けられた二次転写ローラー９とのニップ部（二次転写ニップ部）へ搬送され、中間転写ベルト８上のフルカラー画像が転写紙Ｐ上に転写される。トナー像が転写された転写紙Ｐは定着部１３へと搬送される。
【００２０】
定着部１３に搬送された転写紙Ｐは、定着ローラー対１３ａにより加熱及び加圧されてトナー像が転写紙Ｐの表面に定着され、所定のフルカラー画像が形成される。フルカラー画像が形成された転写紙Ｐは、複数方向に分岐した分岐部１４によって搬送方向が振り分けられる。転写紙Ｐの片面のみに画像を形成する場合は、そのまま排出ローラー対１５によって用紙積載部１７に排出される。
【００２１】
一方、転写紙Ｐの両面に画像を形成する場合は、定着部１３を通過した転写紙Ｐは一旦排出ローラー対１５方向に搬送され、転写紙Ｐの後端が分岐部１４を通過した後に排出ローラー対１５を逆回転させるとともに分岐部１４の搬送方向を切り換えることで、転写紙Ｐの後端から反転搬送路１８に振り分けられ、画像面を反転させた状態で二次転写ニップ部に再搬送される。そして、中間転写ベルト８上に形成された次の画像が二次転写ローラー９により転写紙Ｐの画像が形成されていない面に転写され、定着部１３に搬送されてトナー像が定着された後、用紙積載部１７に排出される。
【００２２】
用紙積載部１７は上面カバー２３の上面を構成する。上面カバー２３は揺動支点２５において画像形成装置１００本体の上面に揺動可能に支持されている。上面カバー２３を開放することで、トナーコンテナ４ａ〜４ｄの交換や、現像装置３ａ〜３ｄ等の画像形成装置１００内の各部のメンテナンスが行われる。
【００２３】
上面カバー２３の揺動端（図１の左端）の下方には冷却ファン２７が配置されている。冷却ファン２７は、外部の空気を画像形成装置１００内に取り込むとともに。取り込んだ空気をトナーコンテナ４ａ〜４ｄと上面カバー２３との隙間に送出してトナーコンテナ４ａ〜４ｄを冷却する。
【００２４】
図２及び図３は、それぞれ画像形成装置１００に取り付けられる上面カバー２３を上方及び下方から見た斜視図であり、図４は、上面カバー２３に取り付けられる回動部３０の外観斜視図である。また、図２における転写紙Ｐの排出方向を矢印Ａで示す。
【００２５】
図２に示すように、上面カバー２３の上面には用紙積載部１７が形成されている。用紙積載部１７は、排出される大サイズの転写紙Ｐの略後部、及び小サイズの転写紙Ｐを受ける第１トレイ面１７ａと、排出される大サイズの転写紙Ｐの略前部を受ける第２トレイ面１７ｂとから成る屈曲形状である。第１トレイ面１７ａは用紙排出方向に上り勾配となっており、用紙積載部１７に排出された転写紙Ｐは、第１トレイ面１７ａに沿って滑落して後端を後壁部２１（図１参照）により支持された状態で積載される。第１トレイ面１７ａの２箇所には回動部３０が設けられている。
【００２６】
図３に示すように、回動部３０は、第１トレイ面１７ａの用紙排出方向上流側の一端に設けられた回動支点２９によって回動可能に支持されている。また、上面カバー２３の裏面側にはバネ受け部４０が設けられている。バネ受け部４０は、回動部３０の回動端（図４の左端部）に対向する位置に設けられており、回動部３０の回動端とバネ受け部４０との間にコイルバネ４１（図５参照）が挟持される。
【００２７】
図４に示すように、回動部３０は、細長い平板状の本体部３１と、本体部３１の長手方向の両端縁に沿って上方向に突出するリブ３３が形成された断面視コ字状の部材である。本体部３１の一端には第１トレイ面１７ａの回動支点２９に支持される支軸３５が設けられており、支軸３５が設けられていない他端部が回動端となる。
【００２８】
次に、本発明の画像形成装置１００における、トナーコンテナ４ａ〜４ｄ、及び用紙積載部１７に排出された転写紙Ｐの冷却機構について説明する。前述したように、用紙積載部１７の第１トレイ面１７ａは転写紙Ｐのスタック性を良くするために用紙排出方向の上流側から下流側に向かって上り勾配がついており、排出側に近いトナーコンテナ４ｄと用紙積載部１７とが非常に近接した位置関係となる。そのため、特にトナーコンテナ４ｄが用紙積載部１７に積載された転写紙Ｐからの放熱の影響を受けやすくなる。
【００２９】
用紙積載部１７に転写紙Ｐが積載されていないとき、或いは用紙積載部１７に積載される転写紙Ｐの枚数が少ないときは、図５に示すように、回動部３０とバネ受け部４０との間に挟持されたコイルバネ４１の上向きの付勢力によって回動部３０の回動端が支持されており、用紙積載部１７の第１トレイ面１７ａと回動部３０の本体部３１とは面一となっている。また、回動部３０のリブ３３は第１トレイ面１７ａから突出している。このとき、冷却ファン２７から送出される空気流（図５に矢印で表示）は、上面カバー２３とトナーコンテナ４ａ〜４ｄとの隙間に用紙排出方向の下流側から上流側（図５の左から右方向）に流れ込み、トナーコンテナ４ａ〜４ｄ周辺のみを冷却している。
【００３０】
図５の状態から用紙積載部１７に積載される転写紙Ｐが増加すると、図６に示すように、回動部３０のリブ３３上に積載される転写紙Ｐの重量によってコイルバネ４１が圧縮され、回動部３０が下方向に回動する。その結果、第１トレイ面１７ａと回動部３０の本体部３１との間に開口部Ｃが形成される。これにより、冷却ファン２７から送出される空気流（図６に矢印で表示）が開口部Ｃを通過して転写紙Ｐと第１トレイ面１７ａの間に流れ込む。従って、用紙積載部１７に積載される転写紙Ｐを冷却ファン２７により直接冷却することができる。このとき、用紙積載部１７に積載される転写紙Ｐのサイズに係わらず十分な冷却効果を得るために、最小サイズの転写紙Ｐの先端よりも排出方向上流側（図６の右側）に開口部Ｃが形成されることが好ましい。
【００３１】
回動部３０は転写紙Ｐの重量（枚数）によって回動するので、転写紙Ｐに当てたい風量をコイルバネ４１の付勢力で開口部Ｃの大きさ（開口量）を変えることによって調整することができる。具体的には、用紙積載部１７に積載される転写紙Ｐの枚数が１枚〜数枚程度の少ない枚数で回動部３０が回動すると、積載された転写紙Ｐが冷却ファン２７からの空気流によってスタック位置がずれたり、用紙積載部１７から脱落したりするおそれがある。そのため、コイルバネ４１のバネ荷重（バネ定数）は、転写紙Ｐの重量（枚数）が一定以上（例えば５０枚や１００枚）となったときに回動部３０が回動するように設定することが好ましい。そして、一定以上の転写紙Ｐが積載されると、それ以降は転写紙Ｐの積載量に応じて回動部３０の回動量が変化する。
【００３２】
また、回動部３０がコイルバネ４１の付勢力のみによって支持されている状態では、転写紙Ｐの重量によって回動部３０の位置が変動するため、用紙積載部１７に積載される転写紙Ｐのスタック性が低下するおそれがある。そのため、用紙積載部１７に転写紙Ｐを安定してスタックするために、転写紙Ｐの重量（枚数）が一定以上となったとき回動部３０が下限位置まで回動する設定とすることが好ましい。回動部３０の下限位置は、コイルバネ４１が最大限圧縮される位置としても良いが、コイルバネ４１が最大限圧縮されるまでに回動部３０に当接して回動部３０の回動を規制する規制部を設け、回動部３０が規制部に当接した位置を下限位置としても良い。
【００３３】
また、回動部３０の回動端に、第１トレイ面１７ａの裏面側に当接する規制片（図示せず）を設けることで、回動部３０の上限位置（本体部３１と第１トレイ面１７ａとが面一となる位置）を規定することができる。これにより、用紙積載部１７に転写紙Ｐが積載されていないときは、図５のように回動部３０が第１トレイ面１７ａと面一となるため、第１トレイ面１７ａと回動部３０との開口部Ｃは形成されない。従って、第１トレイ面１７ａと回動部３０との隙間に手や指を挟んだり、画像形成装置１００の内部へ異物が進入したりする不具合を防止することができる。なお、用紙積載部１７に一定以上の転写紙Ｐが積載されているときは画像形成装置１００の内部と連通する開口部Ｃが開放されるが、開口部Ｃは転写紙Ｐによって塞がれるため、開口部Ｃから異物が進入するおそれはない。
【００３４】
さらに、回動部３０のリブ３３は、用紙積載部１７に積載される転写紙Ｐのスタック性を向上させる機能も有している。通常は、排出ローラー対１５から用紙積載部１７に排出された転写紙Ｐは、裏面全体を用紙積載部１７に接触させながら排出方向下流側へ移動するため、用紙積載部１７と転写紙Ｐとの接触面積が大きくなって転写紙Ｐを円滑に排出することができず、排出された転写紙の整合性が低下することがある。また、転写紙Ｐの先端部が下向きに大きくカールしている場合、先端部が略垂直状態で用紙積載部１７に当接し、その状態でさらに転写紙Ｐの後端部まで排出されると、転写紙Ｐが反転してしまうおそれがある。
【００３５】
本実施形態では、排出ローラー対１５から用紙積載部１７に排出された転写紙Ｐは排出方向と平行に延びるリブ３３上に排出されるため、用紙積載部１７との接触面積を小さくすることができ、転写紙Ｐをリブ３３に沿って円滑に排出することができる。また、リブ３３の突出分だけ排出ローラー対１５から用紙積載部１７までの落差が小さくなるため、下向きにカールした転写紙Ｐの反転も抑制することができる。
【００３６】
また、図６のように回動部３０が下限位置まで回動したとき、リブ３３の上端部は第１トレイ面１７ａから突出している。これにより、第１トレイ面１７ａ上に積載された転写紙Ｐが開口部Ｃに落ち込むことがなく、スタック性を向上させることができる。
【００３７】
その他本発明は、上記実施形態に限定されず、本発明の趣旨を逸脱しない範囲で種々の変更が可能である。例えば、上記実施形態では平板状の本体部３１にリブ３３が形成された回動部３０を用いているが、回動部３０の形状はこれに限らず、用紙積載部１７に転写紙Ｐが積載されていない状態で、回動部３０の一部が第１トレイ面１７ａから突出するような形状であれば良い。例えば、断面矩形状の回動部３０を用いても良い。
【００３８】
また、上記実施形態では、冷却ファン２７によって用紙積載部１７の直下に配置されたトナーコンテナ４ａ〜４ｄを冷却しているが、トナーコンテナ４ａ〜４ｄに限らず、画像形成装置１００の内部に固定されたトナー貯留部であっても良い。さらに、露光装置５が用紙積載部１７の直下に配置される構成であれば、露光装置５を冷却ファン２７によって冷却される被冷却ユニットとすることもできる。
【００３９】
また、本発明は図１に示したようなタンデム式のカラー複合機に限らず、デジタル或いはアナログ方式のモノクロ複合機、モノクロ及びカラープリンター等、画像形成装置本体の上方にトナーコンテナ等の被冷却ユニットを備え、定着部によって加熱された記録媒体が被冷却ユニットの直上に設けられた排出部に排出される他の画像形成装置にも適用可能である。
【産業上の利用可能性】
【００４０】
本発明は、定着部によって加熱された記録媒体が被冷却ユニットの直上の記録媒体積載部に積載される画像形成装置に利用可能である。本発明の利用により、記録媒体積載部に積載された記録媒体を冷却ファンで直接冷却して記録媒体からの放熱による被冷却ユニットの昇温を効果的に抑制するとともに、記録媒体のスタック性や安全性の低下も抑制可能な画像形成装置を提供することができる。
【符号の説明】
【００４１】
Ｐａ〜Ｐｄ        画像形成部
４ａ〜４ｄ        トナーコンテナ（被冷却ユニット）
１３              定着部
１７              用紙積載部（記録媒体積載部）
１７ａ            第１トレイ面
１７ｂ            第２トレイ面
２３              上面カバー
２７              冷却ファン
２９              回動支点
３０              回動部
３３              リブ
４０              バネ受け部
４１              コイルバネ
１００            画像形成装置
Ｐ                転写紙（記録媒体）
Ｃ                開口部
【図１】
2014215456.tif 000003
【図４】
2014215456.tif 000004
【図５】
2014215456.tif 000005
【図２】
2014215456.tif 000006
【図３】
2014215456.tif 000007
【図６】
2014215456.tif 000008